(57)【要約】【課題】少ない部品数、かつ簡単な作業で電源電極を接続できる電源電極用の接続部材を提供することを課題とする。【解決手段】電源電極を有する二つの相手電極コネクタ５２に嵌合して両電源電極を電気的に接続する電源電極用の接続部材１において、相手電極コネクタ５２と嵌合可能な凹状の嵌合部１２，１２’が形成された電気絶縁材のハウジング部材２と、該ハウジング部材２により保持される平板状の平型端子４，４’と、該平型端子に結線された可撓な編組電線３とを有し、編組電線３はその両端のそれぞれで互いに別途の平型端子４，４’の後端部に結線されていて、上記両端の平型端子４，４’はそれぞれ中間部で対応する別途のハウジング部材２により保持され該平型端子４，４’の前端部の両面が上記ハウジング部材の嵌合部１２，１２’内で露呈している。【選択図】図２
2013229154.tif 000002
【特許請求の範囲】
【請求項１】
電源電極を有する二つの相手電極コネクタに嵌合して両電源電極を電気的に接続する電源電極用の接続部材において、
相手電極コネクタと嵌合可能な凹状の嵌合部が形成された電気絶縁材のハウジング部材と、該ハウジング部材により保持される平板状の平型端子と、該平型端子に結線された可撓な編組電線とを有し、編組電線はその両端のそれぞれで互いに別途の平型端子の後端部に結線されていて、上記両端の平型端子はそれぞれ中間部で対応する別途のハウジング部材により保持され該平型端子の前端部の両面が上記ハウジング部材の嵌合部内で露呈していることを特徴とする電源電極用の接続部材。
【請求項２】
ハウジング部材は、複数の相手電極コネクタに対応する位置に取付孔が形成されたパネルの該取付孔に取付け可能となっており、パネルの板面に平行な方向と直角方向のうち少なくともパネルの板面に平行な方向に自由度をもって、該パネルへの取付けを可能としていることとする請求項１に記載の電源電極用の接続部材。
【請求項３】
平型端子は電気絶縁材のホルダによって保持されていて、該ホルダがハウジング部材により保持されることを可能としていることとする請求項１又は請求項２に記載の電源電極用の接続部材。
【請求項４】
ハウジング部材は、ホルダを挿着保持するための挿着孔が形成されていることとする請求項３に記載の電源電極用の接続部材。
【請求項５】
編組電線が可撓性を有する絶縁チューブで覆われていることとする請求項１ないし請求項４のうちの一つに記載の電源電極用の接続部材。
【発明の詳細な説明】
【技術分野】
【０００１】
本発明は電源電極用の接続部材に関する。
【背景技術】
【０００２】
電源の容量を高めるために複数の電源装置がそれらの電源電極で接続されることがある。特許文献１では、電源としての複数のバッテリを、バッテリに設けられている電極ポスト同士で接続する接続部材が開示されている。この接続部材は、短い帯状の可撓性導電体の両端に断面Ｌ字状板の金具をなす連結部が固定取付されており、該連結部に接続孔が穿設されている。使用に際しては、この接続孔に上記電極ポストが貫通するようにして連結部を位置せしめ、接続孔から突出する電極ポストにナットを締結することで、連結部を電極ポストに固定し、連結部が固定された電極ポスト同士を上記可撓性導電体で接続することとしている。
【先行技術文献】
【特許文献】
【０００３】
【特許文献１】特開平１０−１２５３０１
【発明の概要】
【発明が解決しようとする課題】
【０００４】
特許文献１のバッテリに設けられた電極ポスト用の接続部材にあっては、電極ポスト同士の位置ずれ等に対して、接続部材の可撓性導電体が追従してこのずれ等に容易に対応できる。
【０００５】
しかしながら、特許文献１にあっては、各バッテリの電極ポストを接続孔に貫通させた上にナット締めを行わなくてはならないし、ナットを別部品として用意しなくてはならない。通常、電源容量を高める目的でバッテリは数多くが接続されるので、その接続作業はきわめて煩瑣になる。
【０００６】
また、他の場合として、すでにいくつかのバッテリがユニットとして接続されていて、このユニットに相手電極コネクタが設けられており、複数のユニットを接続してさらに電源としての容量を高めることがある。この場合には、接続部材はこのユニットの相手電極コネクタと簡単に接続可能でなくてはならないが、特許文献１の接続部材では一括的な接続には対応ができない。
【０００７】
本発明は、このような事情に鑑み、ユニット等に設けられている電極コネクタに対して電源電極のずれに対応しての接続可能性を確保しつつ、少ない部品数で、かつ簡単な作業でその接続を行える電源電極用の接続部材を提供することを課題とする。
【課題を解決するための手段】
【０００８】
本発明の電源電極用の接続部材は、電源電極を有する二つの相手電極コネクタに嵌合して両電源電極を電気的に接続する。
【０００９】
かかる電源電極用の接続部材において、本発明では、相手電極コネクタと嵌合可能な凹状の嵌合部が形成された電気絶縁材のハウジング部材と、該ハウジング部材により保持される平板状の平型端子と、該平型端子に結線された可撓な編組電線とを有し、編組電線はその両端のそれぞれで互いに別途の平型端子の後端部に結線されていて、上記両端の平型端子はそれぞれ中間部で対応する別途のハウジング部材により保持され該平型端子の前端部の両面が上記ハウジング部材の嵌合部内で露呈していることを特徴としている。
【００１０】
このように構成される本発明によれば、電源電極用の接続部材のハウジング部材に形成された嵌合部に相手電極コネクタが嵌合するように、本発明の接続部材を相手電極コネクタに嵌着するだけで、ハウジング部材の嵌合部内に露呈する平型端子が上記相手電極コネクタの電源電極と直接に接続される。編組電線の両端に設けられているそれぞれのハウジング部材で、異なる二つの電源の相手電極コネクタと上述の要領で嵌着することで、この二つの電源が接続される。両電源に設けられている相手電極コネクタ同士が正規位置からずれて位置していても、それらの位置のずれが可撓性を有する上記編組電線で吸収される。
【００１１】
本発明において、ハウジング部材は、複数の相手電極コネクタに対応する位置に取付孔が形成されたパネルの該取付孔に取付け可能となっており、パネルの板面に平行な方向と直角方向のうち少なくともパネルの板面に平行な方向に自由度をもって、該パネルへの取付けを可能としているようにすることができる。こうすることで、複数の相手電源をまとめて支持している部材に対してパネルを位置決めして取り付けるだけで、複数のハウジング部材が複数の相手電極コネクタにそれぞれ対応した状態で一括して嵌着されるようになる。その際、各ハウジングはパネルに対して自由度をもっているので、相手電極コネクタとの正規位置からの相対的位置ずれは上記自由度の範囲内で吸収される。
【００１２】
本発明において、平型端子は電気絶縁材のホルダによって保持されていて、該ホルダがハウジング部材により保持されることを可能とすることができ、一方、ハウジング部材は、ホルダを挿着保持するための挿着孔が形成されているようにすることができる。このようにすることで、平型端子がホルダで保持されているので、接続時には電気絶縁材のホルダを摘むようにしてハウジングに取付けできる。特に、ハウジングがパネルに取り付けられているときには、パネルにハウジングのみを先行して取り付けておき、後にホルダをハウジングの嵌着孔に挿着することが可能となり、作業性が向上する。
【００１３】
本発明において、編組電線が可撓性を有する絶縁チューブで覆われていることが好ましい。編組電線を絶縁チューブで覆うことで、接続作業時、使用時に、編組電線同士あるいは編組電線に対する外部からの不用意な導電部材の接触を阻止できる。当然のことながら、絶縁チューブは編組電線の可撓性をあまり低下させるものであってはならない。そのためには絶縁チューブは、非常に軟らかいものであるか、あるいは、ある程度軟らかければ編組電線との間に間隙をもっているようにすれば良い。
【発明の効果】
【００１４】
本発明は、以上のように、編組電線の両端がそれぞれ別途の平型端子に結線されていて、各平型端子が対応する別途のハウジングにより保持されるようにして電源電極用の接続部材を構成することとしたので、従来のナット締めの場合に比し部品点数が少なくなると共に、単に各ハウジングを対応する電源の相手電極コネクタに嵌着するだけで平型端子が直接に相手電極コネクタの電源電極と接続されることとなり、接続操作がきわめて簡単でしかも相手電源がバッテリを連結したユニットに設けられている場合の相手電極コネクタに対応できるだけでなく、さらには、バッテリに限らず他種の電源に対してもこの電源が上記相手電極を備えていれば、これに対応することができるようになる。
【図面の簡単な説明】
【００１５】
【図１】本発明の一実施形態装置と相手方たる電源ユニットとを示す部分破断斜視図である。
【図２】図１装置に用いられる本発明の接続部材を示す斜視図であって、（Ａ）は編組電線が結線された平型端子を保持するホルダのハウジング部材への挿着前、（Ｂ）は挿着後をそれぞれ示している。
【図３】編組電線が結線された平型端子のホルダへの挿着の要領を示す斜視図であって、（Ａ）は編組電線が結線された平型端子のみを示し、（Ｂ）はこれとホルダとへの組立前の状態で示し、（Ｃ）は組立後を示している。
【図４】パネルへハウジング部材が取り付けられ、これにホルダが挿着された状態の縦断面であり、（Ａ）は平型端子の位置、（Ｂ）は取付ねじの位置で示されている。
【発明を実施するための形態】
【００１６】
以下、添付図面にもとづき、本発明の一実施形態について説明する。
【００１７】
図１にて、符号５０は電源ユニットである。各電源ユニット５０内には複数のバッテリが接続された状態でユニットケース５１内に内蔵されていて、後述の電源電極５５Ｂを有する二つの電極コネクタ５２がユニットケース５１の前面に露呈している。図示の例では、三つの電源ユニット５０が積載されて示されているが、実際の使用に際しては、さらに数多くの電源ユニット５０が配列そして積載されることもある。通常、すべての電源ユニット５０は、枠体（図示せず）等により一体支持されており、該電源ユニット５０に設けられた電極コネクタ５２が互いに接続可能な配列状態でユニットケース５１の前面に位置している。上記電極コネクタ５２は、そのハウジング５３に後述の本発明の接続部材との接続のための受入凹部５４が前方に向け開口して形成されており、該受入凹部５４内に二つの嵌合凸部５５が並んで設けられている。図１では、最上段の電源ユニット５０のハウジング５３が部分的に破断して示されており、その部分破断されたハウジング５３そして嵌合凸部５５に見られるように、二つの嵌合凸部５５のそれぞれには、嵌合スリット５５Ａが形成されていて、該嵌合スリット５５Ａ内に上記電源電極５５Ｂが位置している。各電源電極５５Ｂは、図１にも見られるように、三本の細片が上下で対をなして形成されており、各細片対が弾性を有し、上下の細片の間でくびれ部を形成していて、それぞれのくびれ部で、挿入される後述の板状の平型端子４の端子本体部４Ａを挟圧して該平型端子４と接触するようになっている。また、上記受入凹部５４内には、上記嵌合凸部５５の側方に制御用コネクタ５６も設けられている。
【００１８】
上述のような複数の電源ユニット５０をそれらの電極コネクタ５２同士で接続するための本発明の接続部材１は、上記電極コネクタ５２の数に対応する数だけ設けられていて、本実施形態では、図１に見られるように、これらの接続部材１がパネルＰに取り付けられている。
【００１９】
接続部材１は、パネルＰに直接取り付けられる電気絶縁材のハウジング部材２と、可撓性をもつ帯状の編組電線３と、該編組電線３の両端がそれぞれ結線された二つの平型端子４，４’と、該平型端子４，４’のそれぞれを保持する電気絶縁材のホルダ５，５’とを有している。編組電線３の両端に設けられた平型端子４，４’は、それらの中間部で上記ホルダ５，５’で保持されている。上記編組電線３の両端での平型端子４，４’は同一形状部材であるが、ホルダ５，５’はその形態において若干相違している。したがって、ハウジング部材２に形成されている後述の二つの挿着孔１０，１０’も相違する上記ホルダ５，５’にそれぞれ適合するように相違している。
【００２０】
接続部材１の接続使用状態を示す図１に見られるように、符号１が示された１つの接続部材に属するハウジング部材２は、該接続部材１の編組電線３の一端側では、最上段に位置するハウジング部材２の左半部そして他端側では次段に位置するハウジング部材２の右半部である。換言すれば図１に示される各段のハウジング部材２自体のみを見ると、一つの接続部材の一端側のハウジング部材と他の接続部材の他端側のハウジング部材とを併せもっていると言える。上記ホルダ５，５’がその形態において若干相違しそしてハウジング部材２の左半部と右半部がそれに対応して相違しているのは、一つの接続部材１のホルダ５，５’を上記ハウジング部材２の左半部そして右半部へそれぞれ誤挿着なく確実に挿着されるようにしているためである。接続部材１の最小構成単位として、図１の最上段及び中段に位置するハウジング部材２間を接続している（上方に位置する）編組電線３に着目すると、該編組電線３は、最上段のハウジング部材２の右側とが中段のハウジング部材２の左側とを接続していることが分る。最上段のハウジング部材２の左側に接続された編組電線３は図示されない機器へ向けて延びている。中段のハウジング部材２の右側に接続された編組電線は別の(下段の)ハウジング部材２に向けて延びて繋がっている。図２（Ａ）に見られるように、接続部材１は、一方の接続部材の編組電線３の一端側そして他方の接続部材の編組電線３の他端側が一つのハウジング部材２に編組電線２の帯状面方向（平板端子の板面方向）に横並びに挿着されている。しかし、ハウジング部材２の位置に関する点を除けば、接続状態について図２（Ａ）は、一つの接続部材の編組電線３の一端側を左方にそして他端側を右方に示しているのと同じである。すなわち、一つの接続部材は、編組電線３の一端側を図２（Ａ）の左方のものと同じ形態、そして他端側を同図の右方のものと同じ形態をなしている。以下、一つの接続部材について、編組電線３の一端側を図２（Ａ）の左方のものにもとづいて、他端側を図２（Ａ）の右方のものにもとづいて説明する。
【００２１】
編組電線３の一端部が結線されている図２（Ａ）そして図３（Ａ）〜（Ｂ）に図示の平型端子４は、金属部材を加工して平板状に作られていて、一端側（図にて左方）に向け延びる端子本体部４Ａと、編組電線に寄った位置で上記端子本体部４Ａの両側縁から張り出す圧着部４Ｂ（図３（Ａ）にて二点鎖線を参照）とを有しており、図３（Ａ）で図示のごとく該圧着部４Ｂが編組電線３の一端部を囲んで扁平状をなすように矢印方向に屈曲加工されて該編組電線３を圧着結線している。上記端子本体部４Ａは板状の表裏面が電極コネクタ５２の電源電極５５Ｂと接触する接触部である。図３（Ａ）に図示の圧着部４Ｂの実線で示されている形態は圧着結線後の状態を表わしており、図示の場合、両方の圧着部４Ｂの側端縁同士が編組電線３に対して上側に位置して突き合わされており、突合せ端が一つの線として表われている。上記端子本体部４Ａにはホルダ５との係止のための係止孔４Ａ−１が穿設されている（図３（Ａ），（Ｂ）参照）。これに対し、図で右上方に示される編組電線の他端側が結線されているもう一つの平型端子４’は、上記一端側の平型端子４と同じ形態に作られているが、圧着部４’Ｂが、図にて、編組電線３の下側に向け屈曲された状態で、編組電線３が結線されている。したがって、二つの圧着部４’Ｂの突合せ端は下側に位置していて図では表われていない。
【００２２】
次に、図３（Ｂ）で、上記一方の平型端子４を保持する電気絶縁材の左下方のホルダ５は、上部材５Ａと下部材５Ｂを結合して作られている。上部材５Ａは図３（Ｂ）のごとく、門型をなして下方に開口し、この開口へ下部材５Ｂが下方から嵌合されて上記上部材５Ａと一体をなしてホルダ５を形成している。上部材５Ａと下部材５Ｂは平型端子４の端子本体部４Ａを上下から挟み込むようにして組み立てられて一体結合される。このような組立てで得られたホルダ５は、上部材５Ａと下部材５Ｂの両者の面の間に、図３（Ｂ）のような端子本体部４Ａの組立て前の状態では、一端から他端へ前後方向で貫通する嵌着スリット５Ｃが形成されることとなる。この嵌着スリット５Ｃの形状そして内寸法は、上記平型端子４の端子本体部４Ａが端子本体部４Ａをホルダの上部材５Ａ、下部材５Ｂで挟み込むようにして組み立てられるのに適合したものとなっている。この嵌着スリット５Ｃには、上記端子本体部４Ａの係止孔４Ａ−１に突入する係止突部が上部材５Ａ側と下部材５Ｂ側に形成されている（図４（Ａ）参照）。該係止突部は、図４（Ａ）に見られるように、左方に向けた先細り空間を形成し、左端で段部をなしている。さらには、図３（Ｂ）に見られるように上記ホルダ５の上部材５Ａの上面には係止溝５Ａ−１がそして下部材５Ｂの下面には係止溝５Ｂ−１がそれぞれ右端に開口するように形成されていて、後述のハウジング部材２の対応部と係止するようになっている。また、上部材５Ａの両側の上隅部には被ガイド溝５Ａ−２が左右に延びて形成され、さらには、両側面には円弧状の切欠溝５Ａ−３が左右に延びて形成されている。他方のホルダ５’は、図２に見られるように、一方のホルダを上下反転させて使用されるものである。上記切欠溝５Ａ−３は、上部材５Ａと下部材５Ｂの間で端子本体部４Ａを挟み込む際に上部材５Ａの側面部での弾性変形を容易にするためのバネ性を高める機能を有している。
【００２３】
図１のようにパネルＰに取り付けられる電気絶縁材のハウジング部材２は、図２（Ａ）に見られるごとく、パネルＰの面に接面するフランジ部６と、このフランジ部６に対して反パネルＰ側、すなわち、相手方となる電極コネクタ５２に向く側に位置する嵌合筒部７と上記フランジ部６に対しパネルＰ側、すなわち該パネルＰに形成された孔部Ｐ１を貫通して接続部材１側に位置する挿着部８とを有している。挿着部８には、中央隔壁９の左右両側にそれぞれ挿着孔１０，１０’が形成されている。一方の挿着孔１０は上記一方のホルダ５の挿着、他方の挿着孔１０’は他方のホルダ５’の挿着のために形成されている。したがって、一方の挿着孔１０の内側面には、ホルダ５の上隅部に形成されている被ガイド溝５Ａ−２を案内するガイド凸条１０Ｃが対応して設けられており、他方の挿着孔１０’には、他方のホルダ５’の下隅部に位置する被ガイド溝５Ａ−２対応して、ガイド凸条１０’Ｃが設けられている。直帯状態での編組電線の両端にホルダを上下方向で同じ向きに組み立て、この編組電線を中間位置でＵ字状に折り返すことで、上隅部にガイド凸条１０Ｃが設けられている挿着孔１０そして下隅部にガイド凸条１０’Ｃが設けられている挿着孔１０’のいずれかが挿着すべき挿着孔として決まる。
【００２４】
図４（Ａ）に見られるように、挿着孔１０には、上下壁内面側に弾性腕１０Ａ，１０Ｂが設けられている（挿着孔１０’についても同様である）。該弾性腕１０Ａ，１０Ｂは、上記上下壁のそれぞれの一部を切り欠いて挿着孔１０の開口側に開口するスリットを形成することにより、上記開口側に延びる片持ち梁状の腕部をなしている。これらの弾性腕１０Ａ，１０Ｂはホルダ５の上下の係止溝５Ａ−１，５Ｂ−１にそれぞれに適合した大きさ形状をなしていると共に、上記係止溝５Ａ−１，５Ｂ−１の溝端壁に係止する係止爪１０Ａ−１，１０Ｂ−１をそれぞれ有している。したがって、ホルダ５を挿着孔１０へ挿入すると、ホルダ５は挿入方向先端で該係止爪１０Ａ−１，１０Ｂ−１と当接して上記弾性腕１０Ａ，１０Ｂを上下にそれぞれ弾性変位せしめて、自らはさらなる挿入を可能とし、所定の位置（前面が挿着孔１０の奥壁に当接する位置）まで達する。
【００２５】
所定位置まで達すると、上記弾性腕１０Ａ，１０Ｂはその弾性変位から開放されて係止爪１０Ａ−１，１０Ｂ−１がそれぞれ係止溝５Ａ−１，５Ｂ−１に入り込んで該係止溝５Ａ−１，５Ｂ−１と係止する。かくして、ホルダ５は抜けが防止される。ホルダ５’も同様に形成されている挿着孔１０’に挿着され同様に抜けが防止される。本実施形態では、上記挿着部８の両側方には、制御用コネクタ部１１が設けられている。この制御用コネクタ部１１は電源ユニット５０を接続する際に、制御信号を送るためのものであり、本発明の主眼とするところではないので、その説明は省略する。
【００２６】
上記ハウジング部材２は、図２そして図４（Ａ）に見られるように、上記フランジ部６に対して反パネル側に位置する嵌合筒部７を有しており、該嵌合筒部７は電極コネクタ５２の受入凹部５４に適合する外形を有している。この嵌合筒部７内には、図４（Ａ）に見られるような上記電極コネクタ５２の嵌合凸部５５を受け入れる凹状の二つの嵌合部１２，１２’（図４（Ａ）では一方の嵌合部１２のみが表われ、他方の嵌合部１２’は、紙面の奥にあって図示されていない）が並んで設けられている。二つの嵌合部１２，１２’は、既述した挿着孔１０，１０’の奥壁を中間壁１３，１３’として該挿着孔１０，１０’とそれぞれ背合せをなすように形成されている。上記中間壁１３，１３’には貫通孔１３Ａ，１３’Ａが形成されていて、平型端子４，４’を保持するホルダ５，５’が上記挿着孔１０，１０’へ挿着されたときには、ホルダ５，５’から突出する端子本体部４Ａ，４’Ａが上記貫通孔１３Ａ，１３’Ａを貫通して上記凹状の嵌合部１２，１２’内に露呈する。上記嵌合筒部７内では、上記二つの嵌合部１２，１２’の両側に、上述の制御用コネクタ部１１が突出していて、電極コネクタ５２の制御用コネクタ５６と嵌合可能となっている。
【００２７】
上記ハウジング部材２のフランジ部６には、図２（Ａ），（Ｂ）そして図４（Ｂ）のごとく、ハウジング部材２をパネルＰに取り付けるための取付ねじ１５のための孔部１４が該取付ねじ１５のねじ部の外径よりも大きい内径で形成されている。また、図４（Ａ）からも判るように、パネルＰに形成されたハウジング部材２の挿着部８を貫通取付けするための孔部Ｐ１は上記挿着部８の外形よりも若干大きめに形成されている。したがって、上記取付ねじ１５を上記フランジ部６の孔部１４を貫通させた後にパネルＰのねじ孔Ｐ２に螺合させたとき、上記取付ねじ１５と孔部１４との間、そしてハウジング部材２の挿着部８の外面とパネルＰの孔部Ｐ１との間には、それぞれ隙間が形成されており、ハウジング部材２は上記隙間の範囲内でパネルＰの面に平行な方向に自由度をもっている。さらに、取付ねじ１５は、パネルＰの面に当接する段部１５Ａを有し、該段部１５Ａとねじ頭部１５Ｂとの間の距離が上記ハウジング部材２のフランジ部６の厚さよりも若干大きく設定されている。したがって、上記フランジ部６、すなわちハウジング部材２はパネルＰの面に直角な方向でも自由度がある。かくして、ハウジング部材２は、パネルＰの面に平行と直角な方向の両方向で自由度をもち、すなわちその自由度の量だけフローティングが可能となる。
【００２８】
次に、このように構成される本実施形態の接続部材１の作成要領と使用要領について説明する。
【００２９】
（１）先ず、編組電線３と屈曲前の平型端子４とを用意し、図３（Ａ）のように、平型端子４の圧着部４Ｂを二点鎖線の状態から実線の状態へ屈曲加工して上記編組電線３の一端を該平型端子４に圧着結線する。上記編組電線３の他端には、同一形態の他の平型端子４’を同様に圧着結線する。
【００３０】
（２）編組電線３の一端側そして他端側が平型端子４，４’に結線された両平型端子４，４’を、対応するホルダ５の上部材５Ａとした部材５Ｂの間そしてホルダ５’の上部材５’Ａと下部材５’Ｂとの間にそれぞれ組み立てる。図３（Ｂ）の例では、圧着部４Ｂの突合せが上側に位置する一端側の平型端子４を一方のホルダ５に組み立て、他端側の平型端子４’を圧着部４’Ｂの突合せが下側に位置するようにしてホルダ５’に組み立てている。平型端子４，４’は、その係止孔４Ａ−１，４’Ａ−１でホルダ５，５’の嵌着スリット５Ｃ，５’Ｃ内に形成された係止突部と係止し合って抜けが防止される。
【００３１】
（３）上記（１），（２）の後またはこれに併行してハウジング部材２をパネルＰに取り付ける。ハウジング部材２は、取付ねじ１５をハウジング部材２のフランジ部６の孔部１４へ挿通した後にパネルＰのねじ孔Ｐ２に螺合させることで、パネルＰへ取り付けられる。既述のように、ハウジング部材２は、パネルＰの面に平行そして直角な方向に自由度をもって該パネルＰに取り付けられるので、その自由度の範囲内で可動、すなわちフローティングが可能である。
【００３２】
（４）次に、上記（２）の結線済み編組電線３を上記ハウジング部材２へ接続する。結線済み編組電線３は、一端側に平型端子４を保持するホルダ５を、そして他端側には前記一端側を上下反転させた平型端子４’及びホルダ５’を有している。図１にて、上記一端側のホルダ５’を最上段のハウジング部材２の右方の挿着孔１０’へそして他端側のホルダ５を下方の二段目のハウジング部材２の左方の挿着孔１０へ挿着する。同様にして、別の結線済み編組電線３の一端側のホルダ５’を二段目のハウジング部材２の右方の挿着孔１０’へそして他端側のホルダ５を三段目のハウジング部材２の左方の挿着孔１０へ挿着する。その際、帯状の編組電線３は、ハウジング部材２の挿着部８から後方に延び、帯の面方向に略Ｕ字状に折り返されて別のハウジング部材２の挿着部８に接続されており、上下に配置された二つのハウジング部材間でのフローティング動作を妨げない。かくして、すべてのハウジング部材２へ結線済み編組電線３を挿着すると、最上段のハウジング部材２の左方の挿着孔１０と最下段の右方の挿着孔１０’が結線済み編組電線３と未接続のまま残ることとなる。
【００３３】
（５）さらに、結線済み編組電線３が未だ接続されていない最上段のハウジング部材２の左方の挿着孔１０と最下段のハウジング部材２の右方の挿着孔１０’に対して、電源装置を使用する機器の電源の一方の電極からの接続電線と他方の電極からの他の接続電線を接続することで、すべての接続作業が終了する。ここで、上記一方そして他方の接続電線は、それらの一端側に既述の接続部材１の平型端子４，４’を保持しているホルダ５，５’と同様の形態となっていることが好ましい。
【００３４】
（６）しかる後、上述のパネルＰに対し、複数若しくは任意の電源ユニット５０を図示しない機器のレール等にて所定位置へもたらし、装着する。電源ユニット５０に設けられた電極コネクタ５２のそれぞれは、パネルＰに支持されている対応する複数のハウジング部材２との嵌合可能位置にもたらされ、該電源ユニット５０をさらに嵌合方向に移動させることで、ハウジング５３とハウジング部材２が嵌合し合い、各電極コネクタ５２のハウジング５３内に位置するこの嵌合凸部５５が上記ハウジング部材２の凹状の嵌合部１２，１２’にそれぞれ嵌入する。上記挿着孔１０，１０’に挿着されたホルダ５，５’からは平型端子４，４’の端子本体部４Ａ，４’Ａが突出しているので、すでにハウジング部材２の嵌合部１２，１２’に進入している電極コネクタ５２の嵌合凸部５５の嵌合スリット５５Ａに上記端子本体部４Ａ，４’Ａが進入する。かくして端子本体部４Ａ，４’Ａは嵌合スリット５５Ａ内に位置している電源電極５５Ｂと電気的に接続される。電極コネクタ５２のハウジング５３とパネルＰ上のハウジング部材２とが嵌合直前に正確に一致した位置にあるとは限らないが、ハウジング部材２はパネルＰで自由度をもって取り付けられているので、ハウジング５３がハウジング部材２を誘導できる範囲内にある限り、ハウジング部材２が上記自由度のもとでその位置を調整して確実にハウジング５３と嵌合する。
【００３５】
本発明は、既述の形態に限定されず、種々変更が可能である。例えば、編組電線の可撓性を阻害することなく、該編組電線を絶縁チューブで覆うことができる。絶縁チューブを編組電線に対してルーズに覆えば、該編組電線の可撓性は何ら阻害されないし、接続部材の接続時に編組電線同士での短絡という事態も回避できるし、編組電線同士が近接配置されても密に位置しても上記短絡の心配がない。
【符号の説明】
【００３６】
１  接続部材                        ４，４’  平型端子
２  ハウジング部材                  １０，１０’  挿着孔
３  編組電線                        １２，１２’  嵌合部
【図１】
2013229154.tif 000003
【図２】
2013229154.tif 000004
【図３】
2013229154.tif 000005
【図４】
2013229154.tif 000006